(57)【要約】【課題】  複数のマンホール区間に配設された管路にそれぞれ布設され各マンホール部において接続されているケーブルを一回の引き抜き作業で効率的に引き抜くことができるケーブルの引抜き方法を提供する。【解決手段】  複数のマンホール区間に配設された管路にそれぞれ布設されたケーブルを引き抜くケーブル引抜き方法であって、複数のマンホールにおける両端間のマンホールにおいて該マンホールの両側にそれぞれ布設されたケーブルの端部をそれぞれ捩れ防止器を介して接続ワイヤーで接続し、複数のマンホールにおける一端側マンホールにおいてケーブルの端部に牽引ワイヤーを接続して該牽引ワイヤーを巻き取る。【選択図】        図３
2005086838.tif 000002
【特許請求の範囲】
【請求項１】
複数のマンホール区間に配設された管路にそれぞれ布設されたケーブルを引き抜くケーブル引抜き方法であって、
該複数のマンホールにおける両端間のマンホールにおいて該マンホールの両側にそれぞれ布設された該ケーブルの端部をそれぞれ捩れ防止器を介して接続ワイヤーで接続し、該複数のマンホールにおける一端側マンホールにおいて該ケーブルの端部に牽引ワイヤーを接続して該牽引ワイヤーを巻き取る、
ことを特徴とする電力ケーブル引抜き方法。
【発明の詳細な説明】
【技術分野】
【０００１】
本発明は、複数のマンホール区間に配設された管路にそれぞれ布設され各マンホール部において接続されている電力ケーブル等のケーブルを引き抜くケーブルの引抜き方法に関する。
【背景技術】
【０００２】
地下に布設される電力ケーブルは、図５に示すように布設されている。即ち、電力ケーブル２は各マンホール３間に配設された管路４内に布設され、各マンホール３部で接続される。なお、各マンホール間は、一般に１区間または１スパンとよばれ、その長さ１００〜３００ｍ程度である。
【０００３】
上述したように地下に布設された電力ケーブル２を引き抜く従来用いられている工事方法について、図６を参照して説明する。
先ず、図６の（ａ）に示すように、引き抜き側マンホール３付近に引抜車１１および巻取りドラム１２を配置する。次に、マンホール３内で引き抜こうとする電力ケーブル２の接続部２０を切断する。このようにして、電力ケーブル２の接続部２０を切断したならば、図６の（ｂ）で示すように引き抜こうとする電力ケーブル２の引抜き側端にプリングヘッド５を取付け、プリングヘッド５と牽引ワイヤー６を接続する。そして、引抜車１１および巻取りドラム１２を作動して牽引ワイヤー６および電力ケーブル２を巻き取ることにより、管路４内に布設された電力ケーブル２を引き抜く。一方、引き抜き側と反対側のマンホール３においては、電力ケーブル２にプリングヘッド５を取付け、このプリングヘッド５に捩れ防止器７を介してワイヤー９を連結し、このワイヤー９の先端をウインチ車１３のウインチに取り付ける。このワイヤー９を電力ケーブル２に接続するのは、電力ケーブルが万が一途中で引っ掛かった場合に、ワイヤー９によって牽引し、電力ケーブル２を再び管路４へ引き戻すために取り付けられる。なお、プリングヘッド５とワイヤー９との間に所謂撚り戻し器とよばれる捩れ防止器７を連結するのは、ワイヤー９で牽引する際に発生する回転から、電力ケーブル２およびワイヤー９の捩れを防止し、電力ケーブル２およびワイヤー９のキンク（ワイヤー等の撚り方向に更に締めつけられる現象）またはわらい（ワイヤー等がその撚り方向と反対方向に解かれる現象）が生じないようにするためである。即ち、電力ケーブル２を構成する導体の撚り方向や、布設管路の曲がり、また、電力ケーブルのドラムへの巻付け等で電力ケーブルが回転することが知られている。この回転を吸収して電力ケーブルに捩れによる力が加わらないようにするために、引っ張り方向側の端部に捩れ防止器７が配設される。電力ケーブル側に発生する回転力は、上記捩れ防止器７によって吸収される。またここで、上記捩れ防止器７によって吸収されなかった回転力があった場合、ワイヤー９にその力は伝達されるが、その場合でもワイヤー９は長尺であるため、捩れ防止器を介して伝達される回転力を更に吸収する。
【発明の開示】
【発明が解決しようとする課題】
【０００４】
而して、従来実施されている電力ケーブルの引抜き方法は、１区間毎に上述した引き抜き作業を実施していた。従って、連続する２区間の電力ケーブルを引き抜く場合には、第１の区間の電力ケーブルについて上述した引き抜き作業を実施した後、第２区間目に引抜車１１、巻取りドラム１２およびウインチ車１３を移動して配置換えを行い、第２の区間の電力ケーブルについて上述した引き抜き作業を実施する。第２区間目に引抜車１１、巻取りドラム１２およびウインチ車１３を配置換えするためには多くの時間を要する。地下に布設される電力ケーブルは、一般に道路の下に布設されるため、作業を行う場合には道路の使用許可を得る必要があり、道路使用許可時間が数時間に限られている。このため、引抜車１１、巻取りドラム１２およびウインチ車１３の配置換えに時間を要すると実際の引き抜き作業が制約されるという問題がある。
【０００５】
なお、複数区間に布設された電力ケーブル２を同時に引く抜こうとしても、各電力ケーブル２の接続部２０が管路４の内径より大きいため、そのままでは複数区間に布設された電力ケーブル２０を引く抜くことはできない。
【０００６】
本発明は上記事実に鑑みてなされたもので、その主たる技術課題は、複数のマンホール区間に配設された管路にそれぞれ布設され各マンホール部において接続されているケーブルを一回の引き抜き作業で効率的に引き抜くことができるケーブルの引抜き方法を提供することにある。
【課題を解決するための手段】
【０００７】
上記技術課題を解決するために、本発明によれば、複数のマンホール区間に配設された管路にそれぞれ布設されたケーブルを引き抜くケーブル引抜き方法であって、
該複数のマンホールにおける両端間のマンホールにおいて該マンホールの両側にそれぞれ布設された該ケーブルの端部をそれぞれ捩れ防止器を介して接続ワイヤーで接続し、該複数のマンホールにおける一端側マンホールにおいて該ケーブルの端部に牽引ワイヤーを接続して該牽引ワイヤーを巻き取る、
ことを特徴とするケーブル引抜き方法が提供される。
【発明の効果】
【０００８】
複数のマンホール区間に配設された管路にそれぞれ布設されたケーブルはそれぞれ捩れ防止器を介して接続ワイヤーによって接続されるので、１回の巻取り作業によって複数区間に布設されたケーブルを効率的に引き抜くことができる。このとき、複数のケーブルに発生する異なる回転力は、接続ワイヤーの両側に配設される捩れ防止器によって効果的に吸収されるので、各々のケーブルが捩じられることがないだけでなく、捩れ防止器を介して接続ワイヤーに伝達される回転力も、捩れ防止器が接続ワイヤーの両側に配設されたことで接続ワイヤーが回動自在となり、回転力が完全に吸収されるため、接続ワイヤーそのものの所謂キンクまたはわらいの発生も防止される。
【発明を実施するための最良の形態】
【０００９】
以下、本発明によるケーブルの引抜き方法の好適実施形態を図示している添付図面を参照して、更に詳細に説明する。
【００１０】
図１には、本発明によるケーブルの引抜き方法を電力ケーブルの引き抜きに適用した各工程が示されている。なお、図示の実施形態においては、３個のマンホール３１、３２、３３間である連続する２区間の電力ケーブルを引き抜く場合の例が示されている。
先ず、図１に示すように、電力ケーブルの引き抜き側となるマンホール３１付近に引抜車１１および巻取りドラム１２を配置する。なお、引き抜き側と反対側のマンホール３３付近にウインチ車１３を配置する。次に、各マンホール３１、３２、３３内において引き抜こうとする電力ケーブル２１および２２の接続部２０、２０、２０を切断する（ケーブル切断工程）。
【００１１】
上述したようにケーブル切断工程を実施したならば、図２で示すように３個のマンホールにおける両端間、即ち中央のマンホール３２において、接続部２０が切断された電力ケーブル２１および２２の対向する端部にそれぞれプリングヘッド５、５を取り付ける（プリングヘッド取り付工程）。なお、プリングヘッド５は管路４１、４２を挿通し得る大きさの従来用いられている構造のものでよく、取付け方法の従来の取付け方法でよい。
【００１２】
次に、図３に示すように電力ケーブル２１に取り付けられたプリングヘッド５と電力ケーブル２２に取り付けられたプリングヘッド５とを接続するケーブル接続工程を実施する。このケーブル接続工程は、電力ケーブル２１に取り付けられたプリングヘッド５および電力ケーブル２２に取り付けられたプリングヘッド５にそれぞれ所謂撚り戻し器とよばれる捩れ防止器７、７を連結するとともに、該捩れ防止器７と７を接続ワイヤー８によって連結する。捩れ防止器７は、管路４を挿通し得る大きさの従来用いられている構造のものでよく、第１の部材７１と第２の部材７２とからなっており、第１の部材７１と第２の部材７２が相対的に回動可能に構成されている。そして、第１の部材７１がそれぞれプリングヘッド５、５に連結される。即ち、第１の部材７１の端部に着脱可能に装着されるピン７１１を抜取り、プリングヘッド５の端部に設けられた連結穴を第１の部材７１の端部に位置付け、抜取ったピン７１１を連結穴を挿通して装着することにより第１の部材７１をプリングヘッド５に連結する。このようにして、電力ケーブル２１に取り付けられたプリングヘッド５および電力ケーブル２２に取り付けられたプリングヘッド５にそれぞれ捩れ防止器７、７を連結したならば、捩れ防止器７と７を接続ワイヤー８によって連結する。即ち、捩れ防止器７の第２の部材７２の端部に着脱可能に装着されるピン７２１を抜取り、接続ワイヤー８の両端に形成された輪８１を第２の部材７２の端部に位置付け、抜取ったピン７２１を輪８１を挿通して装着することにより、接続ワイヤー８によって捩れ防止器７と７を接続する。なお、このケーブル接続工程において接続ワイヤー８は、その両端をそれぞれ捩れ防止器７、７を介して電力ケーブル２１に取り付けられたプリングヘッド５および電力ケーブル２２に取り付けられたプリングヘッド５に連結することが重要である。接続ワイヤー８の両側に捩れ防止器７と７を連結する理由については、後で詳細に説明する。
【００１３】
上述したプリングヘッド取り付工程およびケーブル接続工程を並行して、図４に示すように引き抜き側となる一端側のマンホール３１においては電力ケーブル２１にプリングヘッド５を取付ける。そして、プリングヘッド５に牽引ワイヤー６を連結し、この牽引ワイヤー６の先端を引抜車１１の牽引ドラム１１１に数回捲回して巻取りドラム１２に取り付ける。
【００１４】
一方、引き抜き側と反対側のマンホール３３においては、電力ケーブル２１にプリングヘッド５を取付け、このプリングヘッド５に捩れ防止器７を介してワイヤー９を連結し、このワイヤー９の先端をウインチ車１３のウインチに取り付ける。なお、このワイヤー９を電力ケーブル２１に接続するのは、電力ケーブルが万が一途中で引っ掛かった場合に、引き戻す際に用いるために取り付けられる。
【００１５】
以上のようにして、引き抜くべき電力ケーブル２１と２２が接続され、引き抜き側となる電力ケーブル２１に牽引ワイヤー６が接続されるとともに、引き抜き側と反対の電力ケーブル２１にワイヤー９が接続されたならば、引抜車１１の牽引ドラム１１１および巻取りドラム１２を作動して牽引ワイヤー６を巻取る巻取り工程を実施する。この巻取り工程を実行することにより、牽引ワイヤー６に接続された電力ケーブル２１が管路４１から引き抜かれて巻取りドラム１２に巻き取られる。また、管路４２に布設された電力ケーブル２２は、電力ケーブル２１と接続ワイヤー８によって接続されているので、電力ケーブル２１が引き抜かれることにより管路４２から引き抜かれるとともに、管路４１を通して該管路４１からも引き抜かれる。このように、図示の実施形態においては１回の巻取り作業によって２区間に布設された電力ケーブル２１、２２を効率的に引き抜くことができる。
【００１６】
上述した巻取り工程において電力ケーブル２１と２２とを接続する接続ワイヤー８には張力が作用する。そして、一方の電力ケーブル２１に発生する回転力と他方の電力ケーブル２２に発生する回転力とは異なるため、接続ワイヤー８には両電力ケーブルに発生する異なる回転力が作用することになる。ここで、接続ワイヤー８は電力ケーブル２１あるいは２２に対して短尺であり、発生する上記回転力が接続ワイヤー８にそのまま作用した場合、接続ワイヤー８に上述した所謂キンクまたはわらいが発生する。しかるに、本発明においては、接続ワイヤー８と電力ケーブル２１と２２との間にはそれぞれ捩れ防止器７、７が配設されているので、電力ケーブル２１と２２に発生する回転力をそれぞれ捩れ防止器７と７によって吸収することができる。即ち、本発明においては、接続ワイヤー８の両側に捩れ防止器７をそれぞれ接続することにより、上述した複数の電力ケーブルに各々発生する異なる回転力を効果的に吸収するので、各々の電力ケーブルが捩じられることがない。更には、捩れ防止器７を介して接続ワイヤー８に伝達される回転力がある場合も、捩れ防止器が接続ワイヤー８の両側に配設されたことで接続ワイヤー８は電力ケーブル２１と２２に対して回動自在となり、回転力が完全に吸収されるため、接続ワイヤー８の上述した所謂キンクまたはわらいの発生も防止できる。
【００１７】
以上、本発明を電力ケーブルの引き抜き作業に適用した例を示したが、本発明は電力ケーブル以外の他のケーブルの引き抜き作業にも応用することができる。
【図面の簡単な説明】
【００１８】
【図１】本発明によるケーブルの引き抜き方法におけるケーブル切断工程を示す説明図。
【図２】本発明によるケーブルの引き抜き方法におけるプリングヘッド取り付工程を示す説明図。
【図３】本発明によるケーブルの引き抜き方法におけるケーブル接続工程を示す説明図。
【図４】本発明によるケーブルの引き抜き方法における巻取り工程を示す説明図。
【図５】各マンホール間に布設された電力ケーブルの説明図。
【図６】各マンホール間に布設された電力ケーブルの引き抜き方法の従来例を示す説明図。
【符号の説明】
【００１９】
２０：接続部
２１、２２：電力ケーブル
３１、３２、３３：マンホール
４１、４２：管路
５：プリングヘッド
６：牽引ワイヤー
７：捩れ防止器
８：接続ワイヤー
９：ワイヤー
１１：引抜車
１２：巻取りドラム
１３：ウインチ車
【図１】
2005086838.tif 000003
【図２】
2005086838.tif 000004
【図３】
2005086838.tif 000005
【図４】
2005086838.tif 000006
【図５】
2005086838.tif 000007
【図６】
2005086838.tif 000008